(57)【特許請求の範囲】
【請求項１】
筐体外面に吸い込み口と吹き出し口を有する筐体と、この筐体内部に設けた熱交換器および前記吸い込み口から吸引し前記熱交換器で熱交換した空気を前記吹き出し口から流出させるクロスフローファンと、前記吹き出し口から流出する空気を上向き略水平方向または下方向へ吹き出させる上下風向変更板とを備え、前記上下風向変更板は、空気を上向き略水平方向または下方向へ吹き出させるため、歯車と前記歯車により駆動されるベルトによって前記筐体の外面に沿って上下方向へ摺動自在に設けたことを特徴とする空気調和機。
【請求項２】
吹き出し口は、この吹き出し口に連続した筐体内の吹き出し通路の前記吹き出し口部分に、上向き空気流れ促進流路を形成したことを特徴とする請求項１に記載の空気調和機。
【請求項３】
上下風向変更板は駆動動力を伝達する動力伝達軸を有し、この動力伝達軸を上向き空気流れ促進流路の構成体内に設けたことを特徴とする請求項２に記載の空気調和機。
【請求項４】
吹き出し口に連続した筐体内の吹き出し通路の前記吹き出し口部分に、回転自在な上下風向案内板を設けたことを特徴とする請求項１から３のいずれか一項に記載の空気調和機。
【請求項５】
上下風向案内板の回転軸近傍には前記回転軸周りの重量バランスが不均衡とならないように錘が設けられていることを特徴とする、請求項４に記載の空気調和機。
【請求項６】
上下風向変更板または上下風向案内板の空気調和機筐体内部へ対向する面に、復元可能で、かつ前記上下風向変更板および上下風向案内板を閉じたときに空気調和機の筐体内部と外界を遮断するように不通気性の弾性体または吸水性物質体のパッキングを設けたことを特徴とする請求項１から５のいずれか一項に記載の空気調和機。
【請求項７】
筐体内部に空気清浄ユニットを設けるとともに、上下風向変更板により吸い込み口の一部を閉じるようにしたことを特徴とする請求項１から６のいずれか一項に記載の空気調和機。
【請求項８】
空気清浄ユニットは、空気調和機の吸い込み口と熱交換器の間に位置して内装し、前記空気清浄ユニット体の一端部側に空気流通用の貫通孔を設けたことを特徴とする、請求項７に記載の空気調和機。
【発明の詳細な説明】
【０００１】
【発明の属する技術分野】
本発明は、室内の冷房あるいは暖房を行う空気調和機と空気調和機に組込む空気清浄ユニットに関し、特に室内ユニットの吹き出し口における風向変更の制御に係るものである。
【０００２】
【従来の技術】
従来の空気調和機は特開平１０−９６５７号公報に記載されているように、図１０（ａ）、（ｂ）に示す構成であった。空気調和機の室内機である筐体１は、前面パネル３ａの前下方に設けられた吹き出し口４と、この吹き出し口４に向かって空調空気を前下方に流す吹き出し通路２とを備えている。吹き出し口４には、空調空気の上下への吹き出し方向を変化させるために、回動軸Ｃ回りに回動自在に設けた上下風向板１００が設けられている。上下風向板１００は、空気調和機の停止時において前面パネル３ａの外面形状に沿うように湾曲した横断面形状を有している。
【０００３】
そして、図１０（ａ）に示すように上下風向板１００は、二点鎖線で示す停止位置から、一端１１０側を下方に回動することにより、他端１２０が空調空気の上流側を向いた略水平の位置まで移行し前方水平方向に空調空気が吹き出される。また、図１０（ｂ）に示すように上下風向板１００の一端１１０側を後方に回動することにより、一端１１０が空調空気の上流側を向いた略垂直の位置まで移行して下向き方向に空調空気が吹き出される。
【０００４】
また、特開平１０−１９３００号公報に記載されているように、図１１に示す構成となっている。空気調和機の筐体１は、前面パネル３ａの前下方に設けられた吹き出し口４を備えている。吹き出し口４には、空調空気の上下の吹き出し方向を変化させるために、回転軸Ｃ１、Ｃ２回りにそれぞれ回転自在に設けた二つの上下風向板１００ａ、１００ｂが設けられている。暖房運転時において、真下吹きを行う場合、第１の上下風向板１００ａが略垂直の位置に置かれ、第２の上下風向板１００ｂが、前面パネル３ａの前面に沿って吹き出し口４の前上方側を閉鎖する停止位置に置かれ、下向き方向に空調空気が吹き出される。
【０００５】
【発明が解決しようとする課題】
しかしながら、上記第１の従来（特開平１０−９６５７号公報）の構成では、十分な水平方向および下向き方向の空調空気の流れを形成することができない。図１０（ａ）に風の流れを示す下側の矢印は、実際は破線で示すように下向き成分の強い流れを形成する。同様に、図１０（ｂ）に風の流れを示す上側の矢印は、実際は破線で示すように水平成分の強い流れを形成する。
【０００６】
上記第２の従来（特開平１０−９６５７号公報）の構成では、第１の従来例と比較すると下向き方向の流れは多少改善された傾向がある。しかし、図１１に風の流れを示す上側の矢印は、実際は破線で示すように十分な下向き流れを形成しているとはいえない。また、水平方向の流れの形成には、第１の従来例と同様の課題を有している。
【０００７】
本発明は、上記従来の課題を解決するものであり、吹き出し口からの空調空気を上向き略水平方向または下方向へ確実に変更できる空気調和機と、音の静かな空気清浄ユニットとを提供するものである。
【０００８】
【課題を解決するための手段】
上記課題を解決するために、本発明の請求項１に記載の発明は、筐体外面に吸込み口と吹き出し口を有する筐体と、この筐体内部に設けた熱交換器および前記吸い込み口から吸引し前記熱交換器で熱交換した空気を前記吹き出し口から流出させるクロスフローファンと、前記吹き出し口から流出する空気を上向き略水平方向または下方向へ吹き出させる上下風向変更板とを備え、前記上下風向変更板は、空気を上向き略水平方向または下方向へ吹き出させるために、筐体外面に沿って上下方向へ摺動自在に設けたものである。
【０００９】
この手段によれば、上下風向変更板が筐体外面に沿って上方向へ摺動して吹き出し口の上部側にある場合は空気が下向き方向に流れ、上下風向変更板が吹き出し口の下部側にある場合は空気が上向き略水平方向に流れる作用をする。
【００１０】
また、請求項２に記載の発明は、吹き出し口に連続した筐体内の吹き出し通路の前記吹き出し口部分に、上向き空気流れ促進流路を形成したもので、吹き出し口から上向き略水平方向へ吹き出す空気が、上向き空気流れ促進流路により確実に上向き方向へ案内される作用をする。
【００１１】
また、請求項３に記載の発明は、上下風向変更板が有する駆動動力を伝達する動力伝達軸を、上向き空気流れ促進流路の構成体内に設けたことにより、動力伝達軸による通風抵抗が解消される作用を有する。
【００１２】
また、請求項４に記載の発明は、吹き出し口に連続した筐体内の吹き出し通路の前記吹き出し口部分に、回転自在な上下風向案内板を設けたことにより、下向き方向および上向き略水平方向の流れの制御をより促進させる作用を有する。
【００１３】
また、請求項５に記載の発明は、上下風向案内板が、その回転軸を中心に略対向部分に丸棒を固定したことにより、前記丸棒によって上下風向案内板の一端部に設けた前記回転軸を中心に回転する上下風向案内板のバランスが図られ、回転させるトルクを軽減できるとともに、下向き方向および上向き方向へのいずれの流れの場合でも丸棒により空気との摩擦が少なく通風抵抗を小さくできる作用を有する。
【００１４】
また、請求項６に記載の発明は、上下風向変更板の裏面、または上下風向案内板の裏面に、復元可能で、かつ不通気性の弾性体または吸水性物質体のパッキングを設けたことにより、上下風向変更板と筐体外面の隙間、および上下風向案内板と筐体外面の隙間からの空気漏れ流れを防止できる作用を有する。
【００１５】
また、請求項７に記載の発明は、筐体内部に空気清浄ユニットを設けるとともに、上下風向変更板により吸い込み口の一部を閉じるようにしたことにより、空気清浄ユニットへの風量を増大させて清浄効果を促進させる作用を有する。
【００１６】
また、請求項８に記載の発明は、筐体に吸い込み口と熱交換器の間に位置して内装する空気清浄ユニット体を形成し、前記空気清浄ユニット体の一端部側に空気流通用の貫通孔を設けたことにより、空気清浄ユニット体が高負荷（フィルターにゴミが集積）時に貫通孔を空気流が側路し、断続的な異常音を抑制する作用を有する。
【００１７】
【発明の実施の形態】
以下、本発明の実施の形態について、図面を参照しながら説明する。
【００１８】
（実施の形態１）
図１は本発明の実施の形態１における空気調和機の斜視図で、図２（ａ）は同空気調和機の上向き吹き出し時における図１のＡ−Ａ断面図で、図２（ｂ）は同空気調和機の下向き吹き出し時における図１のＡ−Ａ断面図で、図２（ｃ）は同空気調和機の上下風向変更板の駆動部分を示す断面図である。
【００１９】
１は、居室内の壁に設置され、横長の長方形状にして前面上部および上面に吸い込みグリルを有する吸い込み口３、やや前部下方に向く吹き出し口４をそれぞれ有する室内ユニット本体（以下、筐体という）で、室外ユニットと配管接続して冷凍サイクルを構成し、少なくとも冷房または暖房を行うものである。前記筐体１は、内部にクロスフローファン５と、この風上側と吸い込み口３の間に熱交換器７を有し、さらに前記熱交換器７の下方で水受け皿８ａを兼ねてクロスフローファン５に峰部を接近対向させたスタビライザ８とリアガイダ９とで前記吹き出し口４に連続した吹き出し通路２を備えている。
【００２０】
そして、クロスフローファン５を回転させると、図に示す矢印方向の送風作用を生じ、これにより室内の空気は吸い込み口３から吸い込まれ、熱交換器７によって熱交換された後、吹き出し口４より吹き出される。
【００２１】
１０は、前記吹き出し口４から吹き出す空気を上向き略水平方向および下方向へ吹き出させる上下風向変更板で、前記筐体１の左右側部に設置した駆動装置（図２（ｃ）に示す）により筐体１の外面に沿って上下方向へ摺動自在に設け、かつ空気の送風停止時には吹き出し口４を閉鎖し、筐体１の外郭の一部を成す大きさと形状および柄に形成している。そして、上下風向変更板１０は、空気を矢印の如く上向き略水平方向へ吹き出させるため図２（ａ）に示すように、吹き出し口４の下部に上端部１０ａを臨ました位置と、空気を矢印の如く下方向へ吹き出させるため図２（ｂ）に示すように、吹き出し口４の上部に下端部１０ｂを臨ました位置と、そして吹き出し口４を閉鎖した位置とに電気的な制御手段（図示せず）に制御された駆動装置により位置制御されるものである。
【００２２】
上下風向変更板１０の駆動装置は、図２（ｃ）に示すように、駆動源のモータ１８と、このモータの回転を減速して伝える減速歯車機構である歯車１９Ａ、１９Ｂ、１９Ｃと、歯車１９Ｂに噛合って筐体１の前面から下部にわたる外郭形状に沿って摺動し、取り付け部２２を介して装着した上下風向変更板１０を筐体１の外面に沿って上下方向へ摺動させるベルト２１とを備えている。
【００２３】
また、駆動装置は前記歯車１９Ａ、１９Ｂ、１９Ｃと、ベルト２１とを筐体１の左右側部内の同一位置に設けて細長い上下風向変更板１０を左右から支持と駆動するように構成し、１個のモータ１８の動力を例えば左側の減速歯車機構から右側の減速歯車機構に伝えるため左右の歯車１９ｃ間を、吹き出し口４の下部に位置させた回転する動力伝達軸１４で連結している。ベルト２１は、筐体１の前面から下部にわたる外郭形状に沿って摺動するため筐体１の側部内に設けた固定の案内溝２０に沿って変形しながら摺動できるように嵌合させている。なお、吸い込み口３にはフィルター６を設けている。
【００２４】
上記実施の形態において、制御された駆動装置であるモータ１８が回転すると、歯車１９Ａ、１９Ｂ、１９Ｃの順で動力が伝わり、これと反対側の減速歯車機構の歯車１９ｃは動力伝達軸１４を介して動力を受け、歯車１９Ｂ、１９Ａの順で伝わる。このようにして左右の減速歯車機構に伝えられた動力は、左右の歯車１９Ｂに噛合っている左右のベルト２１に伝わり、ベルト２１は案内溝２０に沿って摺動する。この結果、取り付け部２２を介してベルト２１に装着した上下風向変更板１０は、筐体１の外面の形状に沿って上下方向へ摺動し、破線で示すように略円弧状に回転移動することにより、吹き出し口４からの吹き出し流れの方向を制御することができるのである。
【００２５】
すなわち、図２(ａ)に示すように上下風向変更板１０は、吹き出し口４の下部に上端部１０ａを臨ました吹き出し口４の下部側に位置すると、その形状を生かした上端部１０ａの案内も作用して吹き出し流れを上向き略水平方向（矢印）に変更制御することができる。
【００２６】
また、図２（ｂ）に示すように上下風向変更板１０は、吹き出し口４の上部に下端部１０ｂを臨ました吹き出し口４の上部側に位置すると、吹き出し流れを下向き（矢印）に変更制御することができる。
【００２７】
また、空気調和機の運転を停止状態にすると、制御された駆動装置により上下風向変更板１０は、吹き出し口４の中央部で停止し、吹き出し口４を完全に閉じることができ美観上でも優れる。
【００２８】
なお、上記実施の形態では吹き出し口４からの空気の流れを上向き略水平方向および下向き方向に変更する上下風向変更板１０の作用効果を説明したが、前記いずれか一方の方向への変更制御をする場合の空気調和機に使用しても良いことは当然である。
【００２９】
（実施の形態２）
図３は、本発明の実施の形態２における空気調和機の断面図である。この実施の形態の発明は、筐体内の吹き出し通路の吹き出し口部分に、上向き空気流れ促進流路を形成した点が実施の形態１の発明と異なるだけで、それ以外の同一構成および作用効果を奏する部分には同一符号を付して詳細な説明を省略し、異なる点を中心に説明する。なお、実施の形態１で説明した上下風向変更板の駆動装置は図３に示すのを省略している。
【００３０】
図３において、１３は吹き出し口４に連続した筐体内の吹き出し通路２の前記吹き出し口部分に形成した上向き空気流れ促進流路で、吹き出し口４に連続した吹き出し通路２の上部内面を吹き出し口４へ近づくほど上向きに傾斜させた形状にしている。
【００３１】
上記実施の形態において、吹き出し口４からの空気流れを上向き略水平方向に変更するため、実施の形態１で説明したように上下風向変更板１０を吹き出し口４の下部側に位置させると、上向き空気流れ促進流路１３に空気流れが案内されて広がり確実に上向き方向へ案内でき、かつ前記空気の上向き成分がより大きくなるため、より遠方まで空気を到達させることができる。また、吹き出し口４の開口面積が全体として大きくなるため、風量性能を向上できる。
【００３２】
（実施の形態３）
図４は、本発明の実施の形態３における空気調和機の断面図である。この実施の形態の発明は、上下風向変更板が有する動力伝達軸を、上向き空気流れ促進流路の構成体内に設けた点が実施の形態１および２の発明と異なるだけで、それ以外の同一構成および作用効果を奏する部分には同一符号を付して詳細な説明を省略し、異なる点を中心に説明する。なお、実施の形態１で説明した上下風向変更板の駆動装置は図４に示すのを省略している。
【００３３】
動力伝達軸１４は、図４に示すように上向き空気流れ促進流路１３の構成体としてのスタビライザ８の一部とカバー１３ａで覆われ、かつ上向き空気流れ促進流路１３の始端部に位置させている。
【００３４】
上記実施の形態において、吹き出し口４からの空気流れを上向き略水平方向に変更するため、実施の形態１で説明したように上下風向変更板１０を吹き出し口４の下部側に位置させると、上向き空気流れ促進流路１３に空気流れが案内されて広がり確実に上向き方向へ案内でき、かつ前記空気の上向き成分がより大きくなるため、より遠方まで空気を到達させることができる。
【００３５】
そして、実施の形態２における上下風向変更板１０が有する動力伝達軸１４は図２（ａ）に示すように吹き出し口４の下端部に露出しているので、空気流れの邪魔になる恐れがあった。然るに本実施の形態では、動力伝達軸１４を図４に示す如くスタビライザ８の一部とカバー１３ａで覆い、かつ上向き空気流れ促進流路１３の始端部に位置させているので、空気流れの邪魔にならず通風抵抗を軽減して風量性能の低下を防止することができる。
【００３６】
（実施の形態４）
図５（ａ）は本発明の実施の形態４における空気調和機の下向き吹き出し時の断面図で、図５（ｂ）は同空気調和機の上向き吹き出し時の断面図である。この実施の形態の発明は、吹き出し口に連続した筐体内の吹き出し通路の前記吹き出し口部分に、回転自在な上下風向案内板を設けた点が実施の形態１および３の発明と異なるだけで、それ以外の同一構成および作用効果を奏する部分には同一符号を付して詳細な説明を省略し、異なる点を中心に説明する。なお、実施の形態１で説明した上下風向変更板の駆動装置は図５（ａ）、図５（ｂ）に示すのを省略している。
【００３７】
図５（ａ）に示すように、吹き出し口４からの下向き方向および上向き略水平方向の流れの制御をより促進させるため、吹き出し口４に近い筐体内部の吹き出し通路２の中央部分において、回動軸Ｊ回りに一端部を固定し回動自在の上下風向案内板１１を設けている。
【００３８】
上記実施の形態において、図５（ａ）に示すように、上下風向変更板１０を吹き出し口４の上部に下端部１０ｂを臨まして吹き出し口４の上部側に位置させると、上下風向案内板１１が回動軸Ｊとともに自重により左方向に回転して垂下（略垂直方向）して停止する。このことにより、上下風向変更板１０により吹き出し口４の上部からの空気漏れ流れを防止して、さらに上下風向案内板１１により下向きに強く空気を誘導し、吹き出し口４からの下向き（矢印）方向の流れを著しく促進させることができる。
【００３９】
また、図５(ｂ)に示すように、上下風向変更板１０を図５（ａ）の状態から吹き出し口４の下部側へ向かって摺動させていくと、上下風向変更板１０の下端部１０ｂが上下風向案内板１１を右方向へ回動軸Ｊを中心に回転させながら押し上げていき、最後に上端部１０ａを吹き出し口４に臨まして上下風向変更板１０を吹き出し口４の下部側に位置させると、上下風向案内板１１が上下風向変更板１０の内側に収まって重なるのである。このことにより、上下風向案内板１１が上向き略水平方向に向けた状態になり、吹き出し口４からの上向き略水平方向（矢印）の流れを著しく促進させることができる。
【００４０】
また、上下風向変更板１０と上下風向案内板１１との２枚の板が重なるように配設され、断熱効果により上下風向変更板１０の冷房時の結露防止にも繋がる。なお、上記実施の形態では、上下風向案内板１１の回転を、上下風向変更板１０の上下摺動により、自重回転と押し上げ回転させたが、上下風向変更板１０の上下摺動に連動させて動力により回転させても良い。
【００４１】
（実施の形態５）
図６は、本発明の実施の形態５における空気調和機の断面図である。この実施の形態の発明は、上下風向案内板の回転バランスを図るため、上下風向案内板の回転軸を中心に前記上下風向案内板の略対向部分に丸棒を固定した点が実施の形態１および４の発明と異なるだけで、それ以外の同一構成および作用効果を奏する部分には同一符号を付して詳細な説明を省略し、異なる点を中心に説明する。なお、実施の形態１で説明した上下風向変更板の駆動装置は図６に示すのを省略している。
【００４２】
図６に示すように、１２は上下風向案内板１１の回転バランスを図り、かつ送風抵抗を少なくするための丸棒で、上下風向案内板１１の回動軸Ｊを中心に前記上下風向案内板１１の略対向部分に固定している。
【００４３】
上記実施の形態において、回動軸Ｊを中心に上下風向案内板１１を回転させると、丸棒１２が上下風向案内板１１の回動軸Ｊを中心に前記上下風向案内板１１の略対向部分に固定され、回転バランスが図られており、上下風向案内板１１を小さいトルクで回転させることができるとともに、実施の形態４の図５（ａ）、図５（ｂ）で説明した下向き方向および上向き略水平方向への流れの案内位置でも、丸棒１２の回転による形が変わらないので通風抵抗を小さくできる。また、最大風量の状態においても、大きな通風抵抗の増大にはならず風量性能の低下を抑制できる。
【００４４】
（実施の形態６）
図７は、本発明の実施の形態６における空気調和機の断面図である。この実施の形態の発明は、上下風向変更板の裏面、または上下風向案内板の裏面に、変形可能で、かつ不通気性の弾性体または吸水性物質体を設けた点が実施の形態１および４の発明と異なるだけで、それ以外の同一構成および作用効果を奏する部分には同一符号を付して詳細な説明を省略し、異なる点を中心に説明する。なお、実施の形態１で説明した上下風向変更板の駆動装置は図７に示すのを省略している。
【００４５】
図７に示すように、１５は上下風向変更板１０の裏面、または上下風向案内板１１の裏面に貼り付けた復元可能で、かつ不通気性の弾性体または吸水性物質体のパッキングで、上下風向変更板１０と筐体１の外面の隙間、および上下風向案内板１１と筐体１の外面の隙間を塞ぎ、前記隙間からの空気漏れ流れを防止するものである。
【００４６】
上記実施の形態において、吹き出し口４からの空気流れを、上向き略水平方向と下向き方向へ制御するため上下風向変更板１０および上下風向案内板１１が筐体１の外面に沿って摺動および回転した時、パッキング１５が筐体１の外面に密接し、上下風向変更板１０と筐体１の外面の隙間、および上下風向案内板１１と筐体１の外面の隙間を閉塞する。
【００４７】
従って、吹き出し口４からの空気流れが上記した各隙間から漏れることがなくなり、風向の制御を確実にできる。また、冷房時において隘路の流れによる結露の発生を防止することもできる。さらに、パッキングが吸水性物質であれば結露水を吸着することができるため、結露水の筐体１からの落下を防止できる。
【００４８】
なお、上記実施の形態ではパッキング１５を上下風向変更板１０および上下風向案内板１１に部分的に貼りつけたが、外周全体に貼りつけても良い。
【００４９】
（実施の形態７）
図８は、本発明の実施の形態７における空気調和機の断面図である。この実施の形態の発明は、筐体内部に空気清浄ユニットを設けるとともに、上下風向変更板により吸い込み口の一部を閉じるようにした点が実施の形態１および４の発明と異なるだけで、それ以外の同一構成および作用効果を奏する部分には同一符号を付して詳細な説明を省略し、異なる点を中心に説明する。なお、実施の形態１で説明した上下風向変更板の駆動装置は図８に示すのを省略している。
【００５０】
図８に示すように、１６は吸い込み口３と熱交換器７の間に設けた空気清浄ユニットで、空気を通して空気中に浮遊している微細な埃を吸着し、空気を清浄化するものである。一方、実施の形態１で説明した上下風向変更板１０は、空気清浄ユニット１６を運転した時には吸い込み口３の一部を閉塞するものである。
【００５１】
上記実施の形態において、クロスフローファン５を運転すると、空気は吸い込み口３よりフィルター６を介して吸引され空気清浄ユニット１６を通って清浄化される。そして、清浄化された空気は、熱交換器７を経て吹き出し口４から吹き出される。
【００５２】
この時に、吸い込み口３の一部が上下風向変更板１０により閉塞されているので、空気清浄ユニット１６への風量を増大させて清浄効果を促進させることができる。すなわち、空気清浄ユニット１６を通過する風量が大きくなり、空気清浄の効果が増大する。
【００５３】
（実施の形態８）
図９（ａ）は、本発明の実施の形態８における空気清浄ユニット体の正面図で、図９（ｂ）は同空気清浄ユニット体の平面図で、図９（ｃ）は同空気清浄ユニット体の側面図である。
【００５４】
２３は、実施の形態７の図８に示すように筐体１の吸い込み口３と熱交換器７の間に設けられるように形成した電気的な空気清浄ユニット体で、斜線部が空気の吸い込み口を示し、本体端部側で制御手段等が配置され空気の通らない一端部２３ａに、空気の通る複数の貫通孔１７を設けている。
【００５５】
上記実施の形態において、一般に電気空気清浄ユニットは、電極部分の空気を通さない固体部分および制御手段等が配置され空気の通らない端部が存在するため、この部分に空気の一部が当って偏流が生じ異常音が発生し易くなる。特に、空気の吸い込み口を空気が流れる間はよいが、フィルターにゴミが集積して高負荷になると、前記偏流による異常音が断続的になり、不快感を伴う異常音が著しくなる。
【００５６】
然るに本実施の形態では、清浄化する空気の一部が当る空気清浄ユニット体２３の一端部２３ａには複数の貫通孔１７を設けているので、空気の一部が通り上記の偏流を抑制して異常音の発生を防止することができる。従って、この空気清浄ユニット体２３を、実施の形態７の図８に示すように筐体１の吸い込み口３と熱交換器７の間に組込んだ空気調和機は、上記の偏流の起こらない静かな空調を行うことができる。
【００５７】
なお、上記実施の形態では、清浄化されていない一部の空気が貫通孔１７を通るが、その量は空気清浄の本来の目的と効果を損なわない程度に設定するものである。
【００５８】
【発明の効果】
以上説明したように請求項１に記載の発明は、筐体外面に吸い込み口と吹き出し口を有する筐体と、この筐体内部に設けた熱交換器および前記吸い込み口から吸引し前記熱交換器で熱交換した空気を前記吹き出し口から流出させるクロスフローファンと、前記吹き出し口から流出する空気を上向き略水平方向または下方向へ吹き出させる上下風向変更板とを備え、前記上下風向変更板は前記吹き出し口から流出する空気を上向き略水平方向または下方向へ吹き出させるため、筐体外面に沿って上下方向へ摺動自在に設けたもので、上下風向変更板が筐体外面に沿って上方向へ摺動し吹き出し口の上部側にある場合は空気が下向き方向に流れ、上下風向変更板が吹き出し口の下部側にある場合は空気が上向き略水平方向に流れ、吹き出し方向を確実に制御することができる。
【００５９】
請求項２に記載の発明は、吹き出し口に連続した筐体内の吹き出し通路の前記吹き出し口部分に、上向き空気流れ促進流路を形成したもので、吹き出し口から上向き略水平方向へ吹き出す空気を、上向き空気流れ促進流路により確実に上向き方向へ案内でき、かつ前記空気の上向き成分がより大きくなるため、より遠方まで空気を到達させることができる。また、吹き出し口が大きくなるため、風量性能を向上できる。
【００６０】
請求項３に記載の発明は、上下風向変更板が有する駆動動力を伝達する動力伝達軸を、上向き空気流れ促進流路の構成体内に設けたもので、動力伝達軸による通風抵抗が解消され、風量性能の低下を防止できる。
【００６１】
請求項４に記載の発明は、吹き出し口に連続した筐体内の吹き出し通路の前記吹き出し口部分に、回転自在な上下風向案内板を設けたもので、下向き方向および上向き略水平方向の流れの制御をより促進させることができる。
【００６２】
請求項５に記載の発明は、上下風向案内板の回転軸を中心に前記上下風向案内板の略対向部分に丸棒を固定したもので、上下風向案内板のバランスを図り回転させるトルクを軽減できるとともに、下向き方向および上向き略水平方向へのいずれの流れの場合でも丸棒により通風抵抗を小さくできる。
【００６３】
請求項６に記載の発明は、上下風向変更板の裏面、または上下風向案内板の裏面に、復元可能で、かつ不通気性の弾性体または吸水性物質体のパッキングを設けたもので、上下風向変更板と筐体外面の隙間、および上下風向案内板と筐体外面の隙間からの空気の漏れ流れを防止でき、吹き出し口からの空気流れの方向を確実に制御できる。また、冷房時において隘路の流れによる結露の発生を防止することができる。さらに、パッキングが吸水性物質であれば結露水を吸着することができるため、結露水の筐体からの落下を防止できる。
【００６４】
請求項７に記載の発明は、筐体内部に空気清浄ユニットを設けるとともに、上下風向変更板により吸い込み口の一部を閉じるようにしたもので、空気清浄ユニットへの風量を増大させて清浄効果を促進させることができる。
【００６５】
請求項８に記載の発明は、筐体に吸い込み口と熱交換器の間に位置して内装する空気清浄ユニット体を形成し、前記空気清浄ユニット体の一端部側に空気流通用の貫通孔を設けたもので、空気清浄ユニット体の高負荷時に貫通孔を空気流が側路し、断続的な異常音を抑制することができるとともに、筐体の吸い込み口と熱交換器の間に前記空気清浄ユニット体を組込んだ空気調和機は、上記した偏流の起こらない静かな空調を行うことができる。
【図面の簡単な説明】
【図１】本発明の実施の形態１における空気調和機の斜視図
【図２】（ａ）同空気調和機の上向き吹き出し時における図１のＡ−Ａ断面図
（ｂ）同空気調和機の下向き吹き出し時における図１のＡ−Ａ断面図
（ｃ）同空気調和機の上下風向変更板の駆動部分を示す断面図
【図３】本発明の実施の形態２における空気調和機の断面図
【図４】本発明の実施の形態３における空気調和機の断面図
【図５】（ａ）本発明の実施の形態４における空気調和機の下向き吹き出し時の断面図
（ｂ）同空気調和機の上向き吹き出し時の断面図
【図６】本発明の実施の形態５における空気調和機の断面図
【図７】本発明の実施の形態６における空気調和機の断面図
【図８】本発明の実施の形態７における空気調和機の断面図
【図９】（ａ）本発明の実施の形態８における空気清浄ユニット体の正面図
（ｂ）同空気清浄ユニット体の平面図
（ｃ）同空気清浄ユニット体の側面図
【図１０】（ａ）従来の空気調和機の吹き出し口における上向き吹き出し時の説明図
（ｂ）同吹き出し口における下向き吹き出し時の説明図
【図１１】他の従来の空気調和機における吹き出し口の下向き吹き出し時の説明図
【符号の説明】
１  筐体
２  吹き出し通路
３  吸い込み口
４  吹き出し口
５  クロスフローファン
７  熱交換器
１０  上下風向変更板
１１  上下風向案内板
１２  丸棒
１３  上向き空気流れ促進流路
１３ａ  カバー
１４  動力伝達軸
１５  パッキング
１６  空気清浄ユニット
１７  貫通孔
２３  空気清浄ユニット体
２３ａ  一端部
【図１】
0003767373.tif 000002
【図２】
0003767373.tif 000003
【図３】
0003767373.tif 000004
【図４】
0003767373.tif 000005
【図５】
0003767373.tif 000006
【図６】
0003767373.tif 000007
【図７】
0003767373.tif 000008
【図８】
0003767373.tif 000009
【図９】
0003767373.tif 000010
【図１０】
0003767373.tif 000011
【図１１】
0003767373.tif 000012